(57)【要約】【課題】ＣＴ、ＭＲＩ画像等の放射線画像上にて病理検査の位置を正確に把握することができるようにする。【解決手段】予めＣＴ、ＭＲＩ画像等の放射線画像（人体画像）に関連付けて該人体画像上の病理検査の位置を記憶させておき、前記人体画像をモニタ装置に表示させる際に、その人体画像に関連付けられて記憶された病理検査の位置を示すマーカーを、モニタ装置に表示された放射線画像上の対応する位置に表示させる。また、前記病理検査の位置から採取した組織の病理検査の情報（病理画像や病理レポート）を、前記人体画像と同時に表示させる。これにより、病理検査の位置を人体画像上で正確に把握できるようにし、また、人体画像上の病理検査の位置（生検部位）の画像と、病理検査の情報との対応関係を明確に把握することができるようにする。【選択図】  図６
2010273854.tif 000002
【特許請求の範囲】
【請求項１】
医療用の放射線画像を表示手段に表示させる放射線画像表示装置において、
前記放射線画像に関連付けて該放射線画像上の病理検査の位置を記憶する記憶手段と、
前記放射線画像の表示時に、前記放射線画像に関連付けられて記憶された病理検査の位置を前記記憶手段から取得する位置取得手段と、
前記取得した前記記憶手段に記憶された病理検査の位置に基づいて前記表示手段に表示する放射線画像上に前記病理検査の位置を視認可能に表示させる表示制御手段と、
を備えたことを特徴とする放射線画像表示装置。
【請求項２】
病理検査部位を含む放射線画像を取得する画像取得手段と、
前記取得した放射線画像を前記表示手段に表示させ、該表示させた放射線画像上で病理検査の位置を指定する位置指定手段と、
前記位置指定手段により指定された病理検査の位置を前記放射線画像に関連付けて前記記憶手段に記憶させる登録手段と、
を備えたことを特徴とする請求項１に記載の放射線画像表示装置。
【請求項３】
前記位置指定手段は、前記表示手段に表示させた放射線画像上の所望の位置にポインタを移動させるポインティングデバイスを含み、
前記登録手段は、前記ポインティングデバイスにより指定された放射線画像上の位置を前記病理検査の位置として該放射線画像に関連付けて前記記憶手段に記憶させることを特徴とする請求項２に記載の放射線画像表示装置。
【請求項４】
病理検査部位を含む放射線画像であって、病理検査前後の放射線画像をそれぞれ取得する画像取得手段と、
前記取得した病理検査後の放射線画像を前記表示手段に表示させ、該表示させた放射線画像上で病理検査の位置を指定する位置指定手段と、
前記病理検査後の放射線画像上で指定された病理検査の位置を前記病理検査前の放射線画像上の病理検査の位置に変換する位置変換手段と、
前記位置指定手段により指定された病理検査の位置を前記病理検査後の放射線画像に関連付けて前記記憶手段に記憶させる登録手段と、を備え、
前記表示制御手段は、前記表示手段に表示する病理検査前の放射線画像上に、前記位置変換手段により変換された病理検査の位置を視認可能に表示させることを特徴とする請求項１に記載の放射線画像表示装置。
【請求項５】
病理検査部位を含む放射線画像であって、病理検査前後の放射線画像をそれぞれ取得する画像取得手段と、
前記取得した病理検査後の放射線画像を前記表示手段に表示させ、該表示させた放射線画像上で病理検査の位置を指定する位置指定手段と、
前記病理検査後の放射線画像上で指定された病理検査の位置を前記病理検査前の放射線画像上の病理検査の位置に変換する位置変換手段と、
前記位置変換手段により変換された病理検査の位置を前記病理検査前の放射線画像に関連付けて前記記憶手段に記憶させる登録手段と、
を備えたことを特徴とする請求項１に記載の放射線画像表示装置。
【請求項６】
前記位置指定手段に代えて、前記取得した病理検査後の放射線画像から病理検査の位置を画像処理により検出する位置検出手段を備えたことを特徴とする請求項４又は５に記載の放射線画像表示装置。
【請求項７】
前記位置指定手段は、解剖学上の部位を示す名称又は記号の入力により病理検査の位置を指定するものを含むことを特徴とする請求項２に記載の放射線画像表示装置。
【請求項８】
気管支鏡の先端を所望の気管支の位置まで挿入し、その挿入した位置から遠位の肺区域に無菌生理食塩水を注入した後に吸い戻し、吸い戻した後の食塩水内の細胞、蛋白及び微生物を検査する病理検査が行われる場合に適用される放射線画像表示装置において、
前記表示制御手段は、前記位置指定手段により前記気管支に挿入された気管支鏡の先端位置、又は前記気管支鏡の先端位置に対応する解剖学上の部位を示す名称又は記号が入力されると、前記気管支鏡の先端位置よりも遠位の気管支の支配領域を前記放射線画像から認識する認識手段を含み、前記表示手段に表示する放射線画像上で前記認識した気管支の支配領域を他の領域と識別可能に表示させることを特徴とする請求項２に記載の放射線画像表示装置。
【請求項９】
病理検査の位置から採取した組織の病理検査の情報を管理する病理データベースを備え、
前記表示制御手段は、前記表示手段に表示する放射線画像上に前記病理検査の位置を視認可能に表示させるとともに、前記病理データベースから対応する病理検査の情報を読み出して表示させることを特徴とする請求項１から８のいずれかに記載の放射線画像表示装置。
【請求項１０】
前記病理データベースは、前記放射線画像に関連付けて該放射線画像上の病理検査の位置を記憶する記憶手段を兼ねることを特徴とする請求項９に記載の放射線画像表示装置。
【請求項１１】
病理検査の位置から採取した組織の病理検査の情報を管理する病理データベースと、
前記病理データベースに登録されている病理検査の情報から所望の病理検査の情報を選択する選択手段と、を備え、
前記表示制御手段は、前記選択手段により所望の病理検査の情報が選択されると、前記病理データベースから対応する病理検査の情報を読み出して前記表示手段に表示させるとともに、該病理検査の情報に対応する放射線画像を前記表示手段に表示させることを特徴とする請求項１から１０のいずれかに記載の放射線画像表示装置。
【請求項１２】
前記選択手段は、検索情報の入力により前記病理データベースから所望の病理検査の情報を検索する第１の選択手段、及び前記病理データベースに登録されている病理検査の情報の一覧を表示手段に表示させる手段と前記一覧から所望の病理検査の情報を選択する手段とからなる第２の選択手段のうちの少なくとも一方を含むことを特徴とする請求項１１に記載の放射線画像表示装置。
【請求項１３】
医療用の放射線画像を管理する画像データベースを備え、
前記放射線画像上の病理検査の位置は、前記放射線画像の画像ファイルのタグに記録されていることを特徴とする請求項１から１２のいずれかに記載の放射線画像表示装置。
【請求項１４】
病理検査の位置の表示モード又は非表示モードを選択するモード選択手段を備え、
前記表示制御手段は、前記モード選択手段により表示モードが選択されたときのみ前記放射線画像上に前記病理検査の位置を視認可能に表示させることを特徴とする請求項１から１３のいずれかに記載の放射線画像表示装置。
【請求項１５】
医療用の放射線画像を表示手段に表示させる放射線画像表示方法において、
前記放射線画像に関連付けて該放射線画像上の病理検査の位置を記憶手段に記憶させるステップと、
前記放射線画像の表示時に、前記放射線画像に関連付けられて記憶された病理検査の位置を前記記憶手段から取得するステップと、
前記取得した病理検査の位置に基づいて前記表示手段に表示する放射線画像上に前記病理検査の位置を視認可能に表示させるステップと、
を備えたことを特徴とする放射線画像表示方法。
【請求項１６】
病理検査部位を含む放射線画像を取得するステップと、
前記取得した放射線画像を前記表示手段に表示させ、該表示させた放射線画像上で病理検査の位置を指定するステップと、
前記指定された病理検査の位置を前記放射線画像に関連付けて前記記憶手段に記憶させるステップと、
を含むことを特徴とする請求項１５に記載の放射線画像表示方法。
【請求項１７】
医療用の放射線画像を表示手段に表示させる放射線画像表示プログラムにおいて、
前記放射線画像に関連付けて該放射線画像上の病理検査の位置を記憶手段に記憶させる機能と、
前記放射線画像の表示時に、前記放射線画像に関連付けられて記憶された病理検査の位置を前記記憶手段から取得する機能と、
前記取得した病理検査の位置に基づいて前記表示手段に表示する放射線画像上に前記病理検査の位置を視認可能に表示させる機能と、
をコンピュータに実現させることを特徴とする放射線画像表示プログラム。
【請求項１８】
病理検査部位を含む放射線画像を取得する機能と、
前記取得した放射線画像を前記表示手段に表示させ、該表示させた放射線画像上での病理検査の位置の指定を受け付ける機能と、
前記指定された病理検査の位置を前記放射線画像に関連付けて前記記憶手段に記憶させる機能と、
を更にコンピュータに実現させることを特徴とする請求項１７に記載の放射線画像表示プログラム。
【発明の詳細な説明】
【技術分野】
【０００１】
本発明は放射線画像表示装置、方法及びプログラムに係り、特に病理検査に関わる医療用の放射線画像を表示する技術に関する。
【背景技術】
【０００２】
従来、病理検査が行われると、病理検査報告書に解剖学上の部位名が記載され、その部位名を元に放射線画像上にて生検位置を特定するようにしていた。
【０００３】
また、三次元医用画像中における結節等の所定の座標位置が設定されると、その座標位置に対応する部位の解剖学上の部位名称（肺区域）を決定し、決定した部位名称を医用画像に重畳表示したり、解剖学上の部位名称に対応する部位を模式図上に強調表示する医用画像診断装置が提案されている（特許文献１）。
【先行技術文献】
【特許文献】
【０００４】
【特許文献１】特開２００９−４５２８６号公報
【発明の概要】
【発明が解決しようとする課題】
【０００５】
しかしながら、解剖学上の部位名は、肺などの臓器の区域程度の情報しかなく、ＣＴ(computed tomography：コンピュータ断層撮影)、ＭＲＩ(magnetic resonance imaging:核磁気共鳴画像法)画像上のこの場所と正確に特定することができず、このため、部位エリア内に異なる所見があった場合に、病理検査の位置がどの場所か特定できないという問題がある。
【０００６】
また、特許文献１に記載の発明は、座標位置を元に決定した解剖学上の部位名称を医用画像に重畳表示し、又は解剖学上の部位名称に対応する部位を模式図上に強調表示するものであり、病理検査の位置を表示するものではない。
【０００７】
本発明はこのような事情に鑑みてなされたもので、ＣＴ、ＭＲＩ画像等の放射線画像上にて病理検査の位置を正確に把握することができる放射線画像表示装置、方法及びプログラムを提供することを目的とする。
【課題を解決するための手段】
【０００８】
前記目的を達成するために請求項１に係る放射線画像表示装置は、医療用の放射線画像を表示手段に表示させる放射線画像表示装置において、前記放射線画像に関連付けて該放射線画像上の病理検査の位置を記憶する記憶手段と、前記放射線画像の表示時に、前記放射線画像に関連付けられて記憶された病理検査の位置を前記記憶手段から取得する位置取得手段と、前記取得した前記記憶手段に記憶された病理検査の位置に基づいて前記表示手段に表示する放射線画像上に前記病理検査の位置を視認可能に表示させる表示制御手段と、を備えたことを特徴としている。
【０００９】
即ち、ＣＴ、ＭＲＩ画像等の放射線画像を表示する際に、その放射線画像に関連付けて記憶された病理検査の位置に基づいて該放射線画像上に病理検査の位置を視認可能に表示させ、これにより病理検査の位置を放射線画像上で正確に把握できるようにしている。尚、病理検査の位置を視認可能に表示させる方法としては、放射線画像上の病理検査の位置にマーカーを表示したり、病理検査の位置に対応する病理範囲の濃度や色を変えることが考えられる。
【００１０】
請求項２に示すように請求項１に記載の放射線画像表示装置において、病理検査部位を含む放射線画像を取得する画像取得手段と、前記取得した放射線画像を前記表示手段に表示させ、該表示させた放射線画像上で病理検査の位置を指定する位置指定手段と、前記位置指定手段により指定された病理検査の位置を前記放射線画像に関連付けて前記記憶手段に記憶させる登録手段と、を備えたことを特徴としている。
【００１１】
請求項３に示すように請求項２に記載の放射線画像表示装置において、前記位置指定手段は、前記表示手段に表示させた放射線画像上の所望の位置にポインタを移動させるポインティングデバイスを含み、前記登録手段は、前記ポインティングデバイスにより指定された放射線画像上の位置を前記病理検査の位置として該放射線画像に関連付けて前記記憶手段に記憶させることを特徴としている。
【００１２】
請求項４に示すように請求項１に記載の放射線画像表示装置において、病理検査部位を含む放射線画像であって、病理検査前後の放射線画像をそれぞれ取得する画像取得手段と、前記取得した病理検査後の放射線画像を前記表示手段に表示させ、該表示させた放射線画像上で病理検査の位置を指定する位置指定手段と、前記病理検査後の放射線画像上で指定された病理検査の位置を前記病理検査前の放射線画像上の病理検査の位置に変換する位置変換手段と、前記位置指定手段により指定された病理検査の位置を前記病理検査後の放射線画像に関連付けて前記記憶手段に記憶させる登録手段と、を備え、前記表示制御手段は、前記表示手段に表示する病理検査前の放射線画像上に、前記位置変換手段により変換された病理検査の位置を視認可能に表示させることを特徴としている。
【００１３】
請求項５に示すように請求項１に記載の放射線画像表示装置において、病理検査部位を含む放射線画像であって、病理検査前後の放射線画像をそれぞれ取得する画像取得手段と、前記取得した病理検査後の放射線画像を前記表示手段に表示させ、該表示させた放射線画像上で病理検査の位置を指定する位置指定手段と、前記病理検査後の放射線画像上で指定された病理検査の位置を前記病理検査前の放射線画像上の病理検査の位置に変換する位置変換手段と、前記位置変換手段により変換された病理検査の位置を前記病理検査前の放射線画像に関連付けて前記記憶手段に記憶させる登録手段と、を備えたことを特徴としている。
【００１４】
即ち、請求項４又は５に係る発明は、病理検査の位置を指定するための画像として病理検査後（実際に生検等が実施された後）の放射線画像を使用し、この画像上で指定された病理検査の位置に基づいて病理検査前（生検等が実施される前）の放射線画像上に病理検査の位置を視認可能に表示するようにしている。これは、病理検査結果と対応する画像は、病理検査（生検後）の画像ではなく生検前の画像であり、生検前の画像上に病理検査の位置を表示するのが望ましいからである。
【００１５】
尚、前記位置変換手段により病理検査前後の２つの放射線画像の位置合わせを行うことで、病理検査後の放射線画像上で指定された病理検査の位置を病理検査前の放射線画像上の病理検査の位置に変換することができる。また、請求項４に係る発明は、病理検査前の放射線画像における病理検査の位置を記憶するようにしているのに対し、請求項５に係る発明は、前記位置変換手段により病理検査後の放射線画像上の位置に変換された病理検査の位置を記憶するようにしている。
【００１６】
請求項６に示すように請求項４又は５に記載の放射線画像表示装置において、前記位置指定手段に代えて、前記取得した病理検査後の放射線画像から病理検査の位置を画像処理により検出する位置検出手段を備えたことを特徴としている。
【００１７】
例えば、ＶＡＴＳ（ビデオ補助下胸部手術）などで病変部を部分切除して生検する場合、その部位に金属が残されたりし、ＶＡＴＳした位置がＶＡＴＳ後の画像を画像処理することにより検出することができる場合がある。
【００１８】
請求項７に示すように請求項２に記載の放射線画像表示装置において、前記位置指定手段は、解剖学上の部位を示す名称又は記号の入力により病理検査の位置を指定するものを含むことを特徴としている。即ち、前記位置指定手段は、放射線画像上の位置（座標）を指定するものに限らず、解剖学上の部位を示す名称又は記号の入力により病理検査の位置を指定（一意に特定）するものも含む。この場合、放射線画像より解剖学上の部位を特定し、その部位と解剖学上の部位を示す名称又は記号との対応を求める必要がある。
【００１９】
請求項８に示すように気管支鏡の先端を所望の気管支の位置まで挿入し、その挿入した位置から遠位の肺区域に無菌生理食塩水を注入した後に吸い戻し、吸い戻した後の食塩水内の細胞、蛋白及び微生物を検査する病理検査が行われる場合に適用される放射線画像表示装置において、前記表示制御手段は、前記位置指定手段により前記気管支に挿入された気管支鏡の先端位置、又は前記気管支鏡の先端位置に対応する解剖学上の部位を示す名称又は記号が入力されると、前記気管支鏡の先端位置よりも遠位の気管支の支配領域を前記放射線画像から認識する認識手段を含み、前記表示手段に表示する放射線画像上で前記認識した気管支の支配領域を他の領域と識別可能に表示させることを特徴としている。
【００２０】
請求項９に示すように請求項１から８のいずれかに記載の放射線画像表示装置において、病理検査の位置から採取した組織の病理検査の情報を管理する病理データベースを備え、前記表示制御手段は、前記表示手段に表示する放射線画像上に前記病理検査の位置を視認可能に表示させるとともに、前記病理データベースから対応する病理検査の情報を読み出して表示させることを特徴としている。これにより、放射線画像上の病理検査の位置（生検部位）の画像と、病理検査の情報との対応関係を明確に把握することができる。尚、病理検査の情報は、採取した組織の顕微鏡写真等の病理画像及び病理レポートのうちの少なくとも一方を含む情報である。
【００２１】
請求項１０に示すように請求項９に記載の放射線画像表示装置において、前記病理データベースは、前記放射線画像に関連付けて該放射線画像上の病理検査の位置を記憶する記憶手段を兼ねることを特徴としている。
【００２２】
請求項１１に示すように請求項１から１０のいずれかに記載の放射線画像表示装置において、病理検査の位置から採取した組織の病理検査の情報を管理する病理データベースと、前記病理データベースに登録されている病理検査の情報から所望の病理検査の情報を選択する選択手段と、を備え、前記表示制御手段は、前記選択手段により所望の病理検査の情報が選択されると、前記病理データベースから対応する病理検査の情報を読み出して前記表示手段に表示させるとともに、該病理検査の情報に対応する放射線画像を前記表示手段に表示させることを特徴としている。請求項９に係る発明によれば、所望の病理検査の情報を表示する際に、病理検査の位置が視認可能な放射線画像を同時に表示するようにしている。
【００２３】
請求項１２に示すように請求項１１に記載の放射線画像表示装置において、前記選択手段は、検索情報の入力により前記病理データベースから所望の病理検査の情報を検索する第１の選択手段、及び前記病理データベースに登録されている病理検査の情報の一覧を表示手段に表示させる手段と前記一覧から所望の病理検査の情報を選択する手段とからなる第２の選択手段のうちの少なくとも一方を含むことを特徴としている。
【００２４】
請求項１３に示すように請求項１から１２のいずれかに記載の放射線画像表示装置において、医療用の放射線画像を管理する画像データベースを備え、前記放射線画像上の病理検査の位置は、前記放射線画像の画像ファイルのタグに記録されていることを特徴としている。例えば、DICOM(Digital Image and Communication in Medicine)規格の画像ファイルのプライベートタグ等に病理検査の位置を記録することが考えられる。
【００２５】
請求項１４に示すように請求項１から１３のいずれかに記載の放射線画像表示装置において、病理検査の位置の表示モード又は非表示モードを選択するモード選択手段を備え、
前記表示制御手段は、前記モード選択手段により表示モードが選択されたときのみ前記放射線画像上に前記病理検査の位置を視認可能に表示させることを特徴としている。
【００２６】
放射線画像上に病理検査の位置をマーカー等により表示することにより病理検査の位置を正確に把握することができるが、マーカー等の表示が画像診断の妨げになる場合が考えられる。この場合には、非表示モードを選択することで、病理検査の位置の表示を行わずにオリジナルの放射線画像のみを表示できるようにしている。
【００２７】
請求項１５に係る発明は、医療用の放射線画像を表示手段に表示させる放射線画像表示方法において、前記放射線画像に関連付けて該放射線画像上の病理検査の位置を記憶手段に記憶させるステップと、前記放射線画像の表示時に、前記放射線画像に関連付けられて記憶された病理検査の位置を前記記憶手段から取得するステップと、前記取得した病理検査の位置に基づいて前記表示手段に表示する放射線画像上に前記病理検査の位置を視認可能に表示させるステップと、を備えたことを特徴としている。
【００２８】
請求項１６に示すように請求項１５に記載の放射線画像表示方法において、病理検査部位を含む放射線画像を取得するステップと、前記取得した放射線画像を前記表示手段に表示させ、該表示させた放射線画像上で病理検査の位置を指定するステップと、前記指定された病理検査の位置を前記放射線画像に関連付けて前記記憶手段に記憶させるステップと、を含むことを特徴としている。
【００２９】
請求項１７に係る発明は、医療用の放射線画像を表示手段に表示させる放射線画像表示プログラムにおいて、前記放射線画像に関連付けて該放射線画像上の病理検査の位置を記憶手段に記憶させる機能と、前記放射線画像の表示時に、前記放射線画像に関連付けられて記憶された病理検査の位置を前記記憶手段から取得する機能と、前記取得した病理検査の位置に基づいて前記表示手段に表示する放射線画像上に前記病理検査の位置を視認可能に表示させる機能と、をコンピュータに実現させることを特徴としている。
【００３０】
請求項１８に示すように請求項１７に記載の放射線画像表示プログラムにおいて、病理検査部位を含む放射線画像を取得する機能と、前記取得した放射線画像を前記表示手段に表示させ、該表示させた放射線画像上での病理検査の位置の指定を受け付ける機能と、前記指定された病理検査の位置を前記放射線画像に関連付けて前記記憶手段に記憶させる機能と、を更にコンピュータに実現させることを特徴としている。
【発明の効果】
【００３１】
本発明によれば、ＣＴ、ＭＲＩ画像等の放射線画像に関連付けて病理検査の位置を記憶させ、この放射線画像を表示する際に、該放射線画像に関連付けて記憶された病理検査の位置に基づいて放射線画像上に病理検査の位置を視認可能に表示させるようにしたため、病理検査の位置を放射線画像上で正確に把握することができる。
【００３２】
また、病理検査の位置から採取した組織の病理検査の情報（病理画像や病理レポート）を前記放射線画像と同時に表示させるようにしたため、放射線画像上の病理検査の位置（生検部位）の画像と、病理検査の情報との対応関係を明確に把握することができる。
【図面の簡単な説明】
【００３３】
【図１】図１は本発明に係る放射線画像表示装置を含むシステム構成図である。
【図２】図２は放射線画像表示装置により病理ＤＢに放射線画像上の病理検査の位置等を登録する処理の手順を示す第１実施形態のフローチャートである。
【図３】図３は画像ＤＢの一例を示す図である。
【図４】図４は病理検査の情報及び病理検査の位置を管理する病理ＤＢの一例を示す図である。
【図５】図５は放射線画像表示装置により画像ＤＢ、病理ＤＢに登録された情報を表示する処理手順を示す第１実施形態のフローチャートである。
【図６】図６はモニタ装置に表示される人体画像（ＣＴ画像）と病理検査結果、病理画像の表示イメージを示す図である。
【図７】図７は放射線画像表示装置により病理ＤＢに放射線画像上の病理検査の位置等を登録する処理の手順を示す第２実施形態のフローチャートである。
【図８】図８は放射線画像表示装置により画像ＤＢ、病理ＤＢに登録された情報を表示する処理手順を示す第２実施形態のフローチャートである。
【図９】図９は放射線画像表示装置により病理ＤＢに放射線画像上の病理検査の位置等を登録する処理の手順を示す第３実施形態のフローチャートである。
【図１０】図１０は放射線画像表示装置により画像ＤＢ、病理ＤＢに登録された情報を表示する処理手順を示す第３実施形態のフローチャートである。
【図１１】図１１は病理検査の位置（領域）に対応する気管支の支配領域を、他の領域と識別可能に表示した表示イメージを示す図である。
【発明を実施するための形態】
【００３４】
以下、添付図面に従って本発明に係る放射線画像表示装置、方法及びプログラムの好ましい実施形態について説明する。
【００３５】
［装置構成］
図１は本発明に係る放射線画像表示装置を含むシステム構成図である。
【００３６】
このシステムは、本発明に係る放射線画像表示装置１０と、医用施設などに設置された撮影装置４０と、撮影装置４０の操作等を行う操作卓４２と、撮影装置４０で撮影された医療用の放射線画像等を保存する画像データベース（画像ＤＢ）４４と、病理検査の位置から採取した組織、細胞などを病理検査した病理検査の情報を管理する病理データベース（病理ＤＢ）４６とから構成されている。
【００３７】
放射線画像表示装置１０は、ワークステーションなどのコンピュータによって構成されており、主として各構成要素の動作を制御する中央処理装置（ＣＰＵ）１２と、装置の制御プログラムが格納されたり、プログラム実行時の作業領域となる主メモリ１４と、液晶ディスプレイ、ＣＲＴディスプレイ等のモニタ装置２８の表示を制御するグラフィックボード１６と、医用施設のネットワーク５０と接続される通信インターフェース（通信Ｉ／Ｆ）１８と、本発明に係る放射線画像表示プログラム、画像解析プログラムを含む各種のアプリケーションソフト、オペレーションシステム等が格納されたハードディスク装置２０と、プログラムや人体画像等の各種情報が記録されたＣＤ−ＲＯＭから情報を読み込み、ハードディスク装置２０に格納するためのＣＤ−ＲＯＭドライブ２２と、キーボード３０のキー操作を検出して指示入力としてＣＰＵ１２に出力するキーボードコントローラ２４と、位置指定手段としてのマウス３２の状態を検出してモニタ装置２８上のマウスポインタの位置やマウス３２の状態等の信号をＣＰＵ１２に出力するマウスコントローラ２６とから構成されている。
【００３８】
尚、撮影装置４０としては、Ｘ線ＣＴ装置、ＭＲＩ装置等が考えられるが、これに限らず、医療用の放射線画像を撮影するものであれば、如何なるものでもよい。また、本発明において、放射線とはＸ線、α線、β線、γ線、紫外線等の一般的な放射線に加えて、電子線等の粒子線や電磁波を含む広義の放射線を指すものとする。
【００３９】
＜第１実施形態＞
以下、図２から図６を用いて本発明の第１実施形態について説明する。
【００４０】
［登録系］
図２は放射線画像表示装置１０により病理ＤＢ４６に放射線画像上の病理検査の位置等を登録する処理の手順を示す第１実施形態のフローチャートである。
【００４１】
ＣＰＵ１２は、キーボード３０やマウス３２による操作入力に応じて放射線画像表示プログラムを実行し、画像ＤＢ４４から所望の放射線画像（以下、「人体画像」という）を、ネットワーク５０及び通信Ｉ／Ｆ１８を介して取得する画像取得手段として機能するとともに、この取得した人体画像をグラフィックボード１６を介してモニタ装置２８に表示させる（ステップＳ１０）。尚、人体画像が保存されるファイル形式としては、DICOM規格のファイル(DICOMファイル)が考えられる。
【００４２】
図３は画像ＤＢ４４の一例を示す図である。
【００４３】
この画像ＤＢ４４では、検査識別情報（検査ＩＤ）、患者ＩＤ、検査日、受付番号、及び検査部位に関連付けて人体画像が管理されている。尚、この実施形態では、検査ＩＤが人体画像を一意に特定する主キーとなっている。また、DICOMファイルのヘッダには、患者と人体画像に関する情報が格納されているため、上記患者ＩＤ等の情報は、DICOMファイルのヘッダから取得することができる。
【００４４】
ＣＰＵ１２は、人体画像の選択時にキーボード３０により検査ＩＤが入力されると、検査ＩＤにより一意に特定される人体画像（例えば、病理検査が実施された患者の検査部位を含む人体画像）を画像ＤＢ４４から取得し、これをモニタ装置２８に表示させる。尚、画像ＤＢ４４の登録されている情報の一覧をモニタ装置２８に表示させ、マウス３２で所望の人体画像を選択することにより、所望の人体画像を取得するようにしてもよい。
【００４５】
上記のようにして取得した人体画像がＣＴ画像であり、例えば、体軸方向のスライス位置ごとに積層された一連のスライス断層像（３次元的なボリューム画像）の場合には、モニタ装置２８にスライス断層像をスタック表示させ、マウス３２のホイールを回して検査部位を含む所望のスライス位置のスライス断層像を選択して表示させることができる。
【００４６】
続いて、モニタ装置２８に表示された人体画像上の病理検査の位置を指定する（ステップＳ１２）。この病理検査の位置の指定は、人体画像上の病理検査の位置を目視で確認し、その位置にマウスカーソルを移動させることにより行われる。
【００４７】
ＣＰＵ１２は、モニタ装置２８に表示された人体画像上でマウスカーソルにより病理検査の位置が指定され、その登録が指示されると、表示された人体画像に関連付けて病理検査の位置を病理ＤＢ４６に登録する（ステップＳ１４）。
【００４８】
また、ステップＳ１４では、前記病理検査の位置から採取した組織に基づいて作成された病理検査の情報が入力されると、その病理検査の情報を病理ＤＢ４６に登録する。前記病理検査の情報としては、採取した組織の顕微鏡写真等の病理画像や病理検査結果を示す病理レポートを含む。
【００４９】
図４は上記のようにして登録された病理検査の位置や病理検査の情報を管理する病理ＤＢ４６の一例を示す図である。
【００５０】
この病理ＤＢ４６では、検査ＩＤ、患者ＩＤ、及び病理検査部位名に関連付けて、病理レポート等のテキスト情報である病理検査結果、病理画像を含む病理検査の情報と、病理検査の位置（人体画像のフレーム番号とその人体画像上の座標位置）とが管理されている。
【００５１】
この実施形態では、検査ＩＤが病理検査を一意に特定する主キーとなっており、また、図３に示した画像ＤＢ４４の検査ＩＤと同じものが使用されている。従って、病理ＤＢ４６で管理されている検査ＩＤに基づいて画像ＤＢ４４から病理検査に対応する人体画像を検索することができるとともに、画像ＤＢ４４で管理されている検査ＩＤに基づいて病理ＤＢ４６から人体画像に対応する病理検査の情報を検索することができるようになっている。
【００５２】
上記のようにして病理ＤＢ４６への病理検査の位置や病理検査の情報の登録が行われる。
【００５３】
尚、この実施形態では、検査ＩＤにより人体画像と病理検査の位置（病理検査の情報）とが関連付けられているが、前述したように１つの検査ＩＤに対して、一連のスライス断層像（複数枚の人体画像）が対応付けられている場合には、更にその複数の人体画像中のフレーム番号（図４参照）を特定することで、実際の病理検査部位を含む人体画像を特定できるようにしている。
【００５４】
また、病理ＤＢ４６への病理検査の位置及び病理検査の情報の登録は、図２に示したフローチャートに示した順序に限らず、任意に行うことができる。例えば、生検時に病理検査の位置を病理ＤＢ４６に登録し、その後、採取した組織の病理検査を行い、その病理検査結果及び組織を顕微鏡撮影した病理画像を病理ＤＢ４６に登録するようにしてもよいし、病理ＤＢ４６に病理検査結果を登録した後、病理検査の位置を追記するようにしてもよい。
【００５５】
［表示系］
図５は放射線画像表示装置１０により画像ＤＢ４４、病理ＤＢ４６に登録された情報を表示する処理手順を示す第１実施形態のフローチャートである。
【００５６】
ＣＰＵ１２は、前記登録時と同様にキーボード３０やマウス３２による操作入力に応じて画像ＤＢ４４から所望の人体画像を選択し、その人体画像をモニタ装置２８に表示させる（ステップＳ２０）。
【００５７】
そして、ＣＰＵ１２は、選択された人体画像に対応する病理検査の情報、病理検査の位置が病理ＤＢ４６に登録されている場合には、それらの情報を病理ＤＢ４６から読み出し、読み出した病理検査の位置に基づいてモニタ装置２８に表示されている人体画像上に前記病理検査の位置を視認可能に表示させ（ステップＳ２０）、また、読み出した病理検査の情報をモニタ装置２８に表示させる（ステップＳ２２）。
【００５８】
図６はモニタ装置２８に表示される人体画像（ＣＴ画像）と病理検査結果、病理画像の表示イメージを示す図である。
【００５９】
図６に示すようにＣＰＵ１２は、人体画像としてＣＴ画像等の複数枚のスライス断層像を表示する際に、スタック表示で表示されるスライス断層像上に病理検査の位置が存在する場合（図４に示した病理ＤＢ４６に登録されたフレーム番号のスライス断層像が表示される場合）には、病理ＤＢ４６に登録されている病理位置の座標値に基づいて病理検査の位置にマーカー（前記座標値を中心とする所定の大きさの円形のマーカー）を人体画像上に重畳して表示させるとともに、この人体画像に並べて病理検査結果と病理画像とを表示させる。
【００６０】
上記マーカーにより人体画像上で生検部位を正確に把握することができ、特に同一部位エリア内に異なる所見があった場合に、生検部位がどの場所かを特定することができる。また、生検部位から採取した組織の病理検査の情報（病理画像や病理レポート）を人体画像と同時に表示させるようにしたため、人体画像上の生検部位の画像と、病理検査の情報との対応関係を明確に把握することができ、これにより読影技術の向上を図ることができる。
【００６１】
＜第２実施形態＞
次に、図７及び図８を用いて本発明の第２実施形態について説明する。
【００６２】
［登録系］
図７は放射線画像表示装置１０により病理ＤＢ４６に放射線画像上の病理検査の位置等を登録する処理の手順を示す第２実施形態のフローチャートである。尚、図２に示した第１実施形態のフローチャートと共通する部分には同一のステップ番号を付し、その詳細な説明は省略する。
【００６３】
第１実施形態では、生検が行われた病理検査の位置（生検部位）を含む人体画像上に、その病理検査の位置を示すマーカーを表示するようにしたが、第２実施形態では、病理検査後の人体画像上で病理検査の位置を特定し、その病理検査の位置を示すマーカーを病理検査前の人体画像上に表示させる点で、第１実施形態と相違する。
【００６４】
ＶＡＴＳ（ビデオ補助下胸部手術）などで病変部を部分切除して生検する場合、その部位に金属が残されたりし、ＶＡＴＳした位置がＶＡＴＳ後の画像を画像処理することにより検出することができる場合がある。
【００６５】
図７において、ＣＰＵ１２は、キーボード３０やマウス３２による操作入力に応じてＶＡＴＳ後の人体画像を取得し、その人体画像をモニタ装置２８に表示させる（ステップＳ１０’）。
【００６６】
尚、図３に示した画像ＤＢ４４では、ＶＡＴＳ前、ＶＡＴＳ後を示すＶＡＴＳ情報の項目が示されていないが、画像ＤＢ４４でＶＡＴＳ情報を管理させることにより、ＶＡＴＳ後の人体画像のみを抽出することができる。また、患者ＩＤ及び検査部位が同じで、検査日の異なる人体画像が存在する場合には、検査日の後の人体画像を選択することで、ＶＡＴＳ後の人体画像を抽出することができる。
【００６７】
続いて、第１実施形態と同様にして、モニタ装置２８に表示された人体画像上の病理検査の位置を指定する（ステップＳ１２）。尚、病理検査の位置の指定は、人体画像上の生検部位を目視で確認して手動で指定する場合に限らず、ＶＡＴＳにより生検部位に残された金属の画像（金属はＸ線が透過しにくいため、大きなＣＴ値をもつ）やＶＡＴＳ前後の両画像を画像処理することにより自動で検出し、この検出位置を病理検査の位置として指定するようにしてもよい。
【００６８】
上記のようにして指定された病理検査の位置及び病理検査の情報は、第１実施形態と同様にしてＶＡＴＳ後の人体画像に関連付けて病理ＤＢ４６に登録される（ステップＳ１４）。
【００６９】
［表示系］
図８は放射線画像表示装置１０により画像ＤＢ４４、病理ＤＢ４６に登録された情報を表示する処理手順を示す第２実施形態のフローチャートである。
【００７０】
ＣＰＵ１２は、キーボード３０やマウス３２による操作入力に応じて画像ＤＢ４４から所望のＶＡＴＳ前の人体画像を選択し、その人体画像をモニタ装置２８に表示させる（ステップＳ２０’）。
【００７１】
一方、ＣＰＵ１２は、選択されたＶＡＴＳ前の人体画像に対応するＶＡＴＳ後の病理検査の情報、病理検査の位置が病理ＤＢ４６に登録されている場合には、それらの情報を病理ＤＢ４６から読み出し、読み出した病理検査の情報をモニタ装置２８に表示させる（ステップＳ２２）。
【００７２】
また、ＣＰＵ１２は、読み出した病理検査の位置（ＶＡＴＳ後の人体画像上の位置）を、ＶＡＴＳ前の人体画像上の対応する病理検査の位置に変換し（ステップＳ３０）、この位置変換した病理検査の位置に基づいてモニタ装置２８に表示されているＶＡＴＳ前の人体画像上の病理検査される位置にマーカーを重畳して表示させる（ステップＳ２０’）。
【００７３】
ここで、上記ステップＳ３０によるＶＡＴＳ後の人体画像上の病理検査の位置の、ＶＡＴＳ前の人体画像上の病理検査の位置への変換処理は、画像ＤＢ４４に登録されているＶＡＴＳ前後の２つの人体画像に基づいてＶＡＴＳ前後の画像位置合せ情報を作成し、又は画像ＤＢ４４に登録されているＶＡＴＳ前後の画像位置合せ情報を読み出し、この画像位置合せ情報に基づいてＶＡＴＳ後の人体画像上の病理検査の位置を、ＶＡＴＳ前の人体画像上の病理検査の位置に変換することにより行う。
【００７４】
ＶＡＴＳ前後の２つの人体画像は、撮影日時が異なるとともに、撮影時の被検体の姿勢等の条件が異なるため、通常一致しない。そこで、２つの人体画像の解剖学的な特徴点（対応点）を検出し、ＶＡＴＳ後の人体画像の対応点が、ＶＡＴＳ前の人体画像の対応点に一致するように、ＶＡＴＳ後の人体画像を幾何変換させるための画像位置合せ情報（変換パラメータ）を算出する。
【００７５】
尚、幾何変換としては、射影変換パラメータを使用した射影変換、アフィン変換パラメータを使用したアフィン変換、ヘルマート変換パラメータを使用したヘルマート変換等が考えられる。また、この実施形態では、上記算出された画像位置合せ情報によりＶＡＴＳ後の人体画像の幾何変換は行わずに、ＶＡＴＳ後の人体画像上で指定された病理検査の座標値を幾何変換し、ＶＡＴＳ前の人体画像上の病理検査の座標値を求めるようにしている。更に、ＶＡＴＳ前後の人体画像の画像位置合せ情報の算出は、上記の例に限定されず、特開２００７−６８５５４号公報等に記載の方法などの公知のものを使用することができる。
【００７６】
本発明の第２実施形態によれば、生検（ＶＡＴＳ）前の人体画像上に病理検査の位置を表示することができる。病理検査結果と対応する病変部分の特徴を有する画像は、ＶＡＴＳ後の画像ではなくＶＡＴＳ前の画像であり、本発明の第２実施形態のようにＶＡＴＳ前の人体画像上に病理検査の位置を表示させるのが望ましい。
【００７７】
尚、ＶＡＴＳ前後の人体画像の画像位置合せ情報の算出は、ＶＡＴＳ後の人体画像上での病理検査の位置の指定時に行い、この画像位置合せ情報をそのＶＡＴＳ後の人体画像に関連付けて画像ＤＢ４４で管理していてもよいし、表示時にＶＡＴＳ前後の人体画像に基づいてその都度算出するようにしてもよい。
【００７８】
また、上記人体画像の画像位置合せ情報に基づくＶＡＴＳ前の人体画像上の病理検査の位置の変換処理を表示前に行い、その変換された病理検査の位置を、ＶＡＴＳ前の人体画像に関連付けて画像ＤＢ４４等で管理していてもよい。この場合には、病理ＤＢ４６から病理検査の位置を取得することなく、ＶＡＴＳ前の人体画像の表示時に病理検査の位置にマーカーを表示させることができる。
【００７９】
＜第３実施形態＞
次に、図９から図１１を用いて本発明の第３実施形態について説明する。
【００８０】
［登録系］
図９は放射線画像表示装置１０により病理ＤＢ４６に放射線画像上の病理検査の位置等を登録する処理の手順を示す第３実施形態のフローチャートである。尚、図２に示した第１実施形態のフローチャートと共通する部分には同一のステップ番号を付し、その詳細な説明は省略する。
【００８１】
第３実施形態は、例えば、気管支肺胞洗浄（ＢＡＬ）が行われる場合に対応するものであり、病理検査の位置（生検部位）の指定方法が、第１、第２実施形態と相違する。
【００８２】
ＢＡＬとは、気管支鏡の先端を気管支の第３又は第４分岐まで挿入し、無菌生理食塩水を注入した後に吸い戻し、吸い戻した後の食塩水内の細胞、蛋白及び微生物を検査する手法である。よって、病理検査の位置（範囲）としては、挿入された気管支鏡先端から遠位（より先）の肺区域となる。
【００８３】
図９において、ＣＰＵ１２は、キーボード３０やマウス３２による操作入力に応じて所望の人体画像を取得し、その人体画像をモニタ装置２８に表示させる（ステップＳ１０）。第３実施形態では、肺野を含む人体画像を選択し、その人体画像を表示させるようにしている。
【００８４】
続いて、モニタ装置２８に表示された人体画像上の病理検査の位置として、気管支鏡先端位置をキーボード３０、マウス３２等により入力することにより指定する（ステップＳ１２’）。
【００８５】
この気管支鏡先端位置は、例えばキーボード３０により気管支の解剖学上の名称又は記号で入力することができる。尚、気管支の解剖学上の名称又は記号は、右肺の肺尖枝(B1)、後上葉枝(B2)、前上葉枝(B3)、外側中葉枝(B4)、内側中葉枝(B5)、上-下葉枝(B6)、内側肺底枝(B7)、前肺底枝(B8)、外側肺底枝(B9)、後肺底枝(B10)と、左肺の肺尖枝(B1)、肺後枝(B2)、前上葉枝(B3)、上舌枝(B4)、下舌枝(B5)、上-下葉枝(B6)、内側肺底枝(B7)、前肺底枝(B8)、外側肺底枝(B9)、後肺底枝(B10)の合計２０個である。
【００８６】
上記のようにして指定された病理検査の位置（気管支鏡先端位置）と、その気管支鏡先端位置より遠位の肺区域でのＢＡＬによる病理検査の情報は、人体画像に関連付けて病理ＤＢ４６に登録される（ステップＳ１４’）。
【００８７】
上記病理検査の位置（気管支鏡先端位置）は、病理ＤＢ４６の病理検査部位名の欄に登録することができる（図４参照）。
【００８８】
［表示系］
図１０は放射線画像表示装置１０により画像ＤＢ４４、病理ＤＢ４６に登録された情報を表示する処理手順を示す第３実施形態のフローチャートである。
【００８９】
ＣＰＵ１２は、キーボード３０やマウス３２による操作入力に応じて画像ＤＢ４４からＢＡＬが実施された患者の人体画像を選択し、その人体画像をモニタ装置２８に表示させる（ステップＳ２０”）。
【００９０】
一方、ＣＰＵ１２は、ＢＡＬが実施された患者の人体画像に対応する病理検査の情報、病理検査の位置（気管支鏡先端位置）が病理ＤＢ４６に登録されている場合には、それらの情報を病理ＤＢ４６から読み出し、読み出した病理検査の情報をモニタ装置２８に表示させる（ステップＳ２２）。
【００９１】
また、ＣＰＵ１２は、読み出した病理検査の位置（気管支鏡先端位置）に基づいて人体画像上の対応する気管支を画像認識するとともに、その気管支より遠位の気管支の支配領域を認識し（ステップＳ４０）、この認識した気管支の支配領域を、モニタ装置２８に表示されている人体画像上の他の領域と識別可能に表示させる（ステップＳ２０”）。
【００９２】
気管支の支配領域の認識に関しては、以下の参考文献に記載されている。
【００９３】
（参考文献１）
電子情報通信学会、信学技報Texhical Report of IEICE) MI2002-79(2002-11)
「気管支情報に基づく胸部マルチスライスＣＴ画像からの肺野区間の分類に関する初期的な検討」
上記参考文献１の「気管支の占める領域」が支配領域となる。
【００９４】
また、気管支鏡先端位置の名称等により人体画像上の病理検査の位置（領域）を指定する場合には、以下の参考文献２のように、画像より気管支分岐を認識し、気管支分岐名と画像位置との対応関係を求めておく必要がある。
【００９５】
（参考文献２）
電子情報通信学会、信学技報Texhical Report of IEICE) MI2004-110(2005-1) 江間慎弥 "自動気管支名対応付けにおけるモデル選択法の改善"
図１１は病理検査の位置（領域）に対応する上記気管支の支配領域を、他の領域と識別可能に表示した表示イメージを示す図である。この気管支の支配領域は、例えば、濃度を変え、又は色を付加することで、他の領域と識別可能に表示することができる。
【００９６】
尚、この実施形態では、気管支鏡先端位置を気管支の解剖学上の名称又は記号によって特定するようにしたが、これに限らず、気管支の支配領域を示す肺区域の解剖学上の名称又は記号によって病理検査の位置（領域）を特定するようにしてもよい。また、肺野に限らず、他の病理検査部位を一意に特定できる解剖学上の名称又は記号によって病理検査の位置（領域）を特定するようにしてもよい。
【００９７】
＜その他＞
上記実施形態では、人体画像を表示させて画像診断等を行う際に、表示されている人体画像に関連して病理検査が行われている場合にはその病理検査の情報を表示し、更に表示されている人体画像上に病理検査の位置（生検部位）が含まれる場合には、病理検査の位置をマーカー等で視認可能に表示するようにしたが、これに限らず、病理検査の情報を表示させる際に、その病理検査に対応する人体画像も同時に表示させるようにしてよい。
【００９８】
例えば、検査ＩＤや患者ＩＤ等の検索情報を入力し、病理ＤＢ４６から所望の病理検査の情報を検索し、又は病理ＤＢ４６に登録されている病理検査の情報の一覧をモニタ装置２８に表示させ、この一覧から所望の病理検査の情報をマウス３２等のポインティングデバイスで選択する。このようにして所望の病理検査の情報が選択されると、病理ＤＢ４６から対応する病理検査の情報を読み出し、モニタ装置２８に表示するとともに、その病理検査に対応する人体画像（マーカー等により病理検査の位置が視認可能なもの）をモニタ装置２８に表示する。
【００９９】
また、この実施形態では、人体画像上に病理検査の位置（生検部位）が含まれる場合には、病理検査の位置をマーカー等で視認可能に表示するようにしたが、病理検査の位置の表示モード又は非表示モードを選択するモード選択手段を設け、このモード選択手段により表示モードが選択されたときのみ人体画像上に病理検査の位置を視認可能に表示させるようにしてもよい。これによれば、表示モードと非表示モードとを適宜切り替えることにより、表示モードによる人体画像上の病理検査の位置の把握と、非表示モードによるマーカー等の妨げのない画像による良好な画像診断とを行うことができる。
【０１００】
更に、この実施形態では、病理検査の位置を病理ＤＢ４６側で管理（記憶）するようにしているが、これに限らず、画像ＤＢ４４側で管理（記憶）するようにしてもよい。この場合、画像ＤＢ４４に病理位置の管理項目を設けて管理してもよいし、人体画像の画像ファイルのタグ（DICOMファイルのプライベートタグ）等に病理検査の位置を記録するようにしてもよい。
【０１０１】
更にまた、この実施形態の放射線画像表示装置１０は、ネットワーク５０を介して外部の画像ＤＢ４４、病理ＤＢ４６から人体画像、病理検査の情報等を取得するようにしているが、これに限らず、人体画像等が内部の記憶手段（ハードディスク装置２０）に格納されている場合には、この内部の記憶手段から人体画像等を取得するようにしてもよい。
【０１０２】
また、本発明は、以上の例には限定されず、本発明の要旨を逸脱しない範囲において、各種の改良や変形を行ってもよいことは言うまでもない。
【符号の説明】
【０１０３】
１０…放射線画像表示装置、１２…中央処理装置（ＣＰＵ）、１４…主メモリ、１８…通信インターフェース、２０…ハードディスク装置、２８…モニタ装置、３０…キーボード、３２…マウス、４０…撮影装置、４２…操作卓、４４…画像ＤＢ、４６…病理ＤＢ
【図１】
2010273854.tif 000003
【図２】
2010273854.tif 000004
【図３】
2010273854.tif 000005
【図４】
2010273854.tif 000006
【図５】
2010273854.tif 000007
【図７】
2010273854.tif 000008
【図８】
2010273854.tif 000009
【図９】
2010273854.tif 000010
【図１０】
2010273854.tif 000011
【図６】
2010273854.tif 000012
【図１１】
2010273854.tif 000013